(57)【要約】【課題】ディスクの収納枚数に拘らず、ケース内におけるディスクの移動を確実に規制することができ、可搬型の収納容器としても使用できるようにする。【解決手段】アウターケース１の周面の一部を開閉するシャッタ５を備え、シャッタ５の内側面に上下方向に複数の突起５Ａを形成した。ディスクＤを積載して収納したボトムプレート２の上面にアウターケース１を被せた後、シャッタ５によってアウターケース１の周面の一部を閉鎖すると、積載されたディスクＤのそれぞれの外周面に少なくとも１つの突起５Ａが圧接し、ディスクＤの移動が規制される。【選択図】図２
2006001635.tif 000002
【特許請求の範囲】
【請求項１】
上面に積載して収納すべきディスクの孔部を貫通する支持棒を上面の中央部から上方に延出させたボトムプレートと、該ボトムプレートの上面を開閉自在に被覆する中空のアウターケースと、を備え、
前記ボトムプレートの上面に積載して収納されたディスクの外周部に配置された保持部材であって、前記ボトムプレートの上面に平行な面内における前記支持棒の周面までの距離が前記ディスクの半径と前記孔部の半径との差よりも長い退避位置と略等しい当接位置との間に変位自在にされた保持部材を設けたことを特徴とするスピンドルケース。
【請求項２】
前記保持部材は、前記アウターケースに設けられ、該アウターケースの周面の一部を開閉するシャッタであって、該アウターケースの周面の一部を閉鎖した時に内側面が前記ボトムプレートの上面に積載されたディスクの外周面に圧接するシャッタであることを特徴とする請求項１に記載のスピンドルケース。
【請求項３】
前記保持部材は、前記ボトムプレートの外周部において前記支持棒の長手方向に平行な軸回りに回転自在に配置され、前記軸に直交する断面が短径部及び長径部を含む形状を呈するカムであることを特徴とする請求項１に記載のスピンドルケース。
【発明の詳細な説明】
【技術分野】
【０００１】
この発明は、ＣＤやＤＶＤ等のディスクを複数枚積層して収納するケースに関し、特に、ディスクの中央部に形成された孔部に貫通する棒状体（スピンドル）を備えたスピンドルケースに関する。
【背景技術】
【０００２】
文書情報、音楽情報及び画像情報等の記録に使用されるＣＤやＤＶＤ等のディスクは、数枚程度ケースに収納して運搬される場合があり、このため、収納するケースとして種々提案されている（例えば、特許文献１参照。）。一方、情報を記録していない空ディスクは、たとえば２５枚や５０枚等の多数枚の所定枚数をセットにして所定のケースに収納して販売される。このケースとして、一般に、ディスクの中央部に形成された孔部にスピンドルを貫通させて位置決めするようにしたスピンドルケースが用いられている。
【０００３】
スピンドルケースは、ディスクよりもやや大径の円盤状のボトムプレートと、ボトムプレートの上面を開閉自在に被覆する円筒形又は中空截頭円錐形状のアウターケースと、からなる。ボトムプレートの中央部からは上方にスピンドルが延出しており、ボトムプレートの上面にアウターケースを被せると、スピンドルの上端に形成されたネジ部がアウターケースの開口部から上面側に露出する。このネジ部にアウターケースの上面に当接するフランジ部を有するスクリューキャップを螺合させることにより、ボトムプレートとアウターケースとが一体化される。
【０００４】
このとき、アウタープレートの内側上面から下方に延出した突起が、ケース内に積層して収納されている複数枚のディスクの最上面に圧接し、複数枚のディスクを下方に押圧する。このため、ケースに対するディスクの収納時やケースからディスクを取り出す際の利便性を考慮して、スピンドルの外径をディスクの孔部の内径よりも充分に小さくしても、ケース内に収納された所定枚数のディスクが運搬時の振動等の作用によってケース内で移動することがなく、所定数枚のディスクを安定した状態でケース内に収納しておくことができる。
【特許文献１】特開２００１−０４８２７０号公報
【発明の開示】
【発明が解決しようとする課題】
【０００５】
しかしながら、従来のスピンドルケースでは、ケース内に所定枚数のディスクを収納した状態で、最上位に位置するディスクの上面を下方に押圧することでケース内におけるディスクの移動を規制していたため、ケース内に収納するディスク枚数が所定枚数よりも減少すると、収納しているディスクを下方へ充分に押圧することができなくなり、ケース内におけるディスクの移動を規制することができなくなる。
【０００６】
このため、ケース内に所定枚数よりも少ない枚数のディスクを収納した状態でケースを移動させると、ケース内でディスクが移動し、アウターケースやディスク同士の衝突によってディスクが破損する可能性がある。よって、所定枚数よりも少ない枚数のディスクを収納した状態での運搬に適さず、スピンドルケースを可搬型の収納容器として使用することができない問題があった。この結果、ユーザは、スピンドルケースに収納された所定枚数のディスクを購入した後、スピンドルケースを不要なものとして破棄しており、資源の浪費を招く結果となっていた。
【０００７】
この発明の目的は、ディスクの収納枚数に拘らず、ケース内におけるディスクの移動を確実に規制することができ、可搬型の収納容器としても使用することができ、ディスクの購入後に破棄されることによる資源の浪費を防止することができるスピンドルケースを提供することにある。
【課題を解決するための手段】
【０００８】
この発明は、上記の課題を解決するための手段として、以下の構成を備えている。
【０００９】
（１）上面に積載して収納すべきディスクの孔部を貫通する支持棒を上面の中央部から上方に延出させたボトムプレートと、該ボトムプレートの上面を開閉自在に被覆する中空のアウターケースと、を備え、
前記ボトムプレートの上面に積載して収納されたディスクの外周部に配置された保持部材であって、前記ボトムプレートの上面に平行な面内における前記支持棒の周面までの距離が前記ディスクの半径と前記孔部の半径との差よりも長い退避位置と略等しい当接位置との間に変位自在にされた保持部材を設けたことを特徴とする。
【００１０】
この構成においては、保持部材が、ボトムプレートの上面に平行な面内における支持棒の周面までの距離がディスクの半径とディスクの孔部の半径との差よりも長い退避位置と略等しい当接位置との間に変位自在にされている。したがって、保持部材が退避位置に位置している状態ではボトムプレートの上面に載置されたディスクの外周面に保持部材が接触せず、ディスクの孔部に支持棒が挿脱自在にされる。保持部材が当接位置に位置している状態ではボトムプレートの上面に載置されたディスクの外周面に保持部材が当接し、ディスクの移動が規制される。
【００１１】
（２）前記保持部材は、前記アウターケースに設けられ、該アウターケースの周面の一部を開閉するシャッタであって、該アウターケースの周面の一部を閉鎖した時に内側面が前記ボトムプレートの上面に積載されたディスクの外周面に圧接するシャッタであることを特徴とする。
【００１２】
この構成においては、ボトムプレートの上面に被せられるアウターケースの周面の一部に、内側面がボトムプレートの上面に積載されたディスクの外周面に圧接するシャッタが開閉自在に設けられる。したがって、ディスクが積載されたボトムプレートの上面にアウターケースを被せた状態で、アウターケースの周面の一部をシャッタによって閉鎖すると、シャッタの内側面がディスクの外周面に圧接する。これによって、ボトムプレート上におけるディスクの移動が規制される。ボトムプレートの上面にアウターケースを被せていない状態では、ディスクの外周面にシャッタの内側面が圧接せず、ディスクの孔部に支持棒が挿脱自在にされる。
【００１３】
（３）前記保持部材は、前記ボトムプレートの外周部において前記支持棒の長手方向に平行な軸回りに回転自在に配置され、前記軸に直交する断面が短径部及び長径部を含む形状を呈するカムであることを特徴とする。
【００１４】
この構成においては、断面が短径部及び長径部を含む形状を呈するカムが、ボトムプレートの外周部において支持棒の長手方向に平行な軸回りに回転自在に配置される。したがって、ボトムプレート上に積載されたディスクの外周面にカムの周面における短径部が対向する状態では、ボトムプレート上におけるディスクの移動が規制されず、ディスクの孔部に支持棒が挿脱自在にされる。ボトムプレート上に積載されたディスクの外周面にカムの周面における長径部が対向する状態では、ボトムプレート上におけるディスクの移動が規制される。
【発明の効果】
【００１５】
この発明によれば、以下の効果を奏することができる。
【００１６】
（１）保持部材が退避位置に位置している状態ではボトムプレートの上面に載置されたディスクの外周面に保持部材を接触させずにディスクの孔部に支持棒を挿脱自在にし、保持部材が当接位置に位置している状態ではボトムプレートの上面に載置されたディスクの外周面に保持部材を当接させてディスクの移動を規制することにより、ディスクの収納枚数に拘らず、ケース内におけるディスクの移動を確実に規制することができる。これによって、この発明のスピンドルケースを可搬型の収納容器としても使用することができ、資源の浪費を防止することができる。
【００１７】
（２）ディスクが積載されたボトムプレートの上面にアウターケースを被せた状態で、アウターケースの周面の一部をシャッタによって閉鎖することにより、シャッタの内側面をディスクの外周面に圧接させ、ボトムプレート上におけるディスクの移動を規制することができる。これによって、ディスクの収納枚数に拘らず、ケース内におけるディスクの移動を確実に規制することができる。これによって、この発明のスピンドルケースを可搬型の収納容器としても使用することができ、資源の浪費を防止することができる。
【００１８】
（３）ボトムプレート上に積載されたディスクの外周面にカムの周面における短径部を対向させた状態では、ボトムプレート上におけるディスクの移動を規制せず、ディスクの孔部に支持棒を挿脱自在にできるとともに、ボトムプレート上に積載されたディスクの外周面にカムの周面における長径部を対向させた状態では、ボトムプレート上におけるディスクの移動を規制することができる。これによって、ディスクの収納枚数に拘らず、ケース内におけるディスクの移動を確実に規制することができる。これによって、この発明のスピンドルケースを可搬型の収納容器としても使用することができ、資源の浪費を防止することができる。
【発明を実施するための最良の形態】
【００１９】
図１は、この発明の第１の実施形態に係るスピンドルケースの外観図である。図２は、同スピンドルケースにおけるディスクの収納状態を説明する側面断面図である。スピンドルケース１０は、中空截頭円錐形状のアウターケース１と、円盤状のボトムプレート２と、からなる。アウターケース１の上面には貫通孔１１が形成されている。アウターケース１の内径は、上端部において収納すべきディスクＤの外径よりも僅かに大きく、下端部１２に行くにしたがって大径化されている。
【００２０】
ボトムプレート２の上面の周囲には、全周にわたって段部２１が形成されており、この段部２１にアウターケース１の下端部１２が上方から嵌入する。ボトムプレート２の上面の中央部から上方に支持棒３が延出している。支持棒３は、従来のスピンドルケースにおけるスピンドルであり、収納すべきディスクの孔部を貫通する。
【００２１】
支持棒３は、円柱形状を呈し、上端にネジ部３Ａが形成されている。支持棒３の外径は、収納すべきディスクＤの孔部ＤＡの内径よりも小さくされている。支持棒３のネジ部３Ａには、貫通孔１１を貫通したキャップ４が螺合する。このとき、キャップ４のフランジ部がアウターケース１の上面に当接し、アウターケース１によるボトムプレート２の上面の被覆状態が維持される。
【００２２】
アウターケース１の周面の一部には、上端をヒンジとしてシャッタ５が開閉自在にされている。シャッタ５は、この発明の保持部材である。シャッタ５の内側面には、上下方向に複数の突起５Ａが形成されている。突起５Ａの上下方向の間隔は、１枚のディスクＤの厚さよりも小さくされている。上述のように、アウターケース１は、外側面において截頭円錐形状に形成されているが、少なくともシャッタ５の内側面はボトムプレート２の上面に直交している。
【００２３】
以上のように構成されたスピンドルケース１０において、アウターケース１をボトムプレート２から外した状態では、ボトムプレート２に積載されたディスクの上下方向の移動は規制されず、支持棒３に対してディスクＤの孔部ＤＡが挿脱自在になり、ボトムプレート２の上面に対してディスクＤを積層して収納すること、及び、ボトムプレート２の上面に積層して収納されたディスクＤを取り出すことができる。
【００２４】
即ち、アウターケース１の周面の一部を開閉することにより、シャッタ５は、内側面からボトムプレート２の上面に平行な面内における支持棒３の周面までの距離がディスクＤの半径とディスクＤの孔部ＤＡの半径との差よりも長い退避位置と略等しい当接位置との間に変位する。
【００２５】
スピンドルケース１０において収納可能な所定枚数以下のディスクがボトムプレート２の上面に積層して収納された状態で、アウターケース１をボトムプレート２の上面に被せる際には、図２（Ａ）に示すように、シャッタ５をアウターケース１の周面の一部を開放する退避位置に位置さてせおき、キャップ４を支持棒３のネジ部３Ａに螺合させる。この後、図２（Ｂ）に示すように、アウターケース１の周面の一部を閉鎖する当接位置にシャッタ５を位置させると、積載されたディスクＤのそれぞれの外周面に、シャッタ５の内側面に形成された少なくとも１つの突起５Ａが圧接する。これによって、所定枚数以下のディテクＤを収納した状態でスピンドルケース１０を移動させても、スピンドルケース１０内でディスクＤが移動することがなく、スピンドルケース１０を可搬型の収納容器として使用することができる。
【００２６】
なお、シャッタ５の内側面は、ゴム、軟質プラスチック又は発泡スポンジ剤等の柔軟性を有する平滑な素材によって形成することもできる。
【００２７】
図３は、この発明の第２の実施形態に係るスピンドルケースの要部の構成を示す図である。この実施形態に係るスピンドルケース２０は、ボトムプレート２の周囲の３箇所にこの発明の保持部材としてのカム６を配置したものである。各カム６は、支持棒３の長手方向に平行な軸回りに回転自在にされている。カム６のそれぞれは、軸方向に直交する方向の断面が短径部及び長径部を含むカム形状を呈している。
【００２８】
したがって、カム６の短径部の周面が支持棒３に対向する状態では、カム６は、ボトムプレート２の上面に平行な面内における支持棒３の周面までの距離がディスクの半径とディスクの孔部の半径との差よりも長い退避位置に位置することになり、ボトムプレート２の上面においてディスクの孔部に支持棒３を挿脱自在にすることができる。一方、カム６の長径部の周面が支持棒３に対向する状態では、カム６は、ボトムプレート２の上面に平行な面内における支持棒３の周面までの距離がディスクの半径とディスクの孔部の半径との差に略等しい当接位置に位置することになり、ディスクの周面にカム６の周面が当接し、ボトムプレート２の上面においてディスクの移動が規制される。
【図面の簡単な説明】
【００２９】
【図１】この発明の第１の実施形態に係るスピンドルケースの外観図である。
【図２】上記スピンドルケースの内部におけるディスクの収納状態を説明する図である。
【図３】この発明の第２の実施形態に係るスピンドルケースの要部の外観図である。
【符号の説明】
【００３０】
１  アウターケース
２  ボトムプレート
３  支持棒
４  キャップ
５  シャッタ（保持部材）
６  カム（保持部材）
１０  スピンドルケース
【図１】
2006001635.tif 000003
【図２】
2006001635.tif 000004
【図３】
2006001635.tif 000005